(57)【要約】【課題】ローラ上に載置した車両を拘束装置で拘束して試験を実行するシャシーダイナモメータシステムでは、拘束装置と車両剛性の特性パラメータの把握が困難となっている。【解決手段】被試験車両重量を設定して、複数回のアクセル操作時の拘束装置と車両剛性の特性パラメータを収集する。収集したアクセル操作毎の特性パラメータにそれぞれの回数毎に分割して各回の特性パラメータを抽出する。抽出データと駆動力信号に基づいて各回の伝達関数を演算して拘束力検出信号とすると共に、求めた伝達関数を同定して特性パラメータを導出する。１回目のアクセル操作時の拘束力検出信号とＮ回目の拘束力検出信号との差分が評価値となったときの特性パラメータを拘束装置と車両剛性の特性パラメータとする。【選択図】  図２
2010112900.tif 000002
【特許請求の範囲】
【請求項１】
ローラ上に載置した被試験車両を拘束装置で拘束し、駆動力信号と拘束装置の拘束力信号の検出可能なシャシーダイナモメータシステムであって、拘束装置と車両剛性の特性を把握するものにおいて、
前記被試験車両重量を設定し、複数回のアクセル操作時の駆動力信号と拘束装置
の拘束力信号をそれぞれ検出し、各検出信号をアクセル操作毎に分割して各回の
各検出信号を抽出し、抽出データから駆動力信号と拘束力信号に基づいて各回毎の伝達関数を演算すると共に、求めた伝達関数を同定して特性パラメータを導出し、各回毎の同定前の拘束力検出信号と各回毎の駆動力信号と同定した伝達関数から演算された拘束力検出信号との差分が評価値となったときの特性パラメータを拘束装置と車両剛性の特性パラメータとすることを特徴としたシャシーダイナモメータの拘束装置と車両剛性の特性同定方法。
【請求項２】
前記伝達関数Ｇは、被試験車両重量をＭcar、ダンピングをＣc、バネ剛性をＫcとしたとき、次式により求めることを特徴とした請求項1記載のシャシーダイナモメータの拘束装置と車両剛性の特性同定方法。
Ｇ＝（Ｃc・s＋Ｋc）／（Ｍcar・s2＋Ｃc・s＋Ｋc）
ただし、ｓはラプラス演算子
【請求項３】
前記伝達関数Ｇは、s／（Ｍcar・s2＋Ｃc・s＋Ｋc）により求めることを特徴とした請求項1記載のシャシーダイナモメータの拘束装置と車両剛性の特性同定方法。
【請求項４】
前記駆動力信号は、被試験車両から直接検出して得られた駆動力信号であることを特徴とした請求項1又は２記載のシャシーダイナモメータの拘束装置と車両剛性の特性同定方法。
【請求項５】
前記駆動力信号は駆動力演算部により求められた演算駆動力信号を用い、駆動力演算信号は、1次のローパスフィルタを１／Ｔd・ｓ＋１としてローパスフィルタの時定数Ｔdを設定し、ローラ慣性Ｊrollerに角加速度ｄt／dωを乗算してローパスフィルタを通し、この乗算値と軸トルク検出値との差演算の差分信号を演算駆動力とすることを特徴とした請求項１記載のシャシーダイナモメータの拘束装置と車両剛性の特性同定方法。
【請求項６】
前記駆動力演算信号は、前記電気慣性制御回路のコントローラ設計手法により設計されたオブザーバのローラ表面駆動力推定値であることを特徴とした請求項１記載のシャシーダイナモメータの拘束装置と車両剛性の特性同定方法。
【発明の詳細な説明】
【技術分野】
【０００１】
本発明はシャシーダイナモメータの拘束装置と車両剛性の特性同定方法に関するものである。
【背景技術】
【０００２】
動力計計測システムの負荷側または駆動側で、動力計測対象の機械慣性成分を電気的に補償するために電気慣性制御方式が採られている。この電気慣性制御方式としては、特許文献１が公知となっている。この特許文献１では、設置された軸トルクメータにより車両の動力伝達軸に発生する軸トルクを検出する。動力計は、軸トルクの検出値と、機械慣性分を除いた走行抵抗分のトルク設定値と、動力計の機械慣性及び設定慣性から電気慣性トルク設定値を求め、この電気慣性トルク設定値と走行抵抗分のトルク設定値との和で吸収トルクを制御する。そして、電気慣性制御のための加速度検出を不要としたことにより、電気慣性制御の応答性を高め、かつ安定化した制御を可能とすることが記載されている。
【特許文献１】特開２００４−３６１２５５
【発明の開示】
【発明が解決しようとする課題】
【０００３】
シャシーダイナモメータシステムは、図１４で示すように動力計ＤｙとローラＲとを軸トルクメータＴＭを介して直結されており、軸トルクメータＴＭ、第１及び第２のエンコーダＥＣ１，ＥＣ２によって検出された軸トルク、動力計回転数及びローラ回転数を電気慣性制御回路ＥＩに導入してトルク電流指令を生成し、インバータＩＶを介して動力計を制御するよう構成されている。また、電気慣性制御回路ＥＩは計測制御ユニットＭＵの内部に構成される。図１３は、図１１で示すシステムをモデル化したものである。すなわち、ローラＲ上に被試験車両Ｖｃを載置し、拘束装置Ｒｅを用いて固定側に拘束する。この拘束した状態で、走行抵抗制御などの運転を行って耐久試験や性能試験を実施している。
【０００４】
図１３において、１はエンジンのトルク信号と駆動力信号等を元にタイヤ速度を算出する駆動系モデル、２はシャシーダイナモメータモデル部で、このモデル部２で推定された推定値Ｖrollerと車速Ｖcarとの偏差分Ｖが減算部において求められる。この偏差分Ｖは、さらに減算部に出力されて駆動系モデル１からのタイヤ速度との差演算が実行され、その差分によるタイヤ速度はタイヤモデル３に入力される。タイヤモデル３では入力された信号に基づいて駆動力Ｆxを演算し、その駆動力信号Ｆxを駆動系モデル１とシャシーダイナモメータモデル部２に出力されると共に、減算部を介して車両速度演算部４に出力されて車速Ｖcarが演算される。５は拘束力演算部で、車両速度演算部４で求められた車速Ｖcarに応じた拘束力Ｆbindを算出して拘束装置Ｒｅの拘束力とすると共に、減算部において駆動力Ｆxとの偏差が求められ、その差分が車両速度演算部４に入力される。
なお、拘束力算出部５のパラメータＣcはダビング、Ｋcはバネ剛性、ｓはラプラス演算子である。
図１３で示す走行モデルでは、シャシーダイナモメータモデル部２がダイナモメータ分部であり、図１１で示すローラから上部の車体部分が、このシャシーダイナモメータモデル部２を除いた各要素である。
【０００５】
上述のようにシャシーダイナモメータシステムでは、実際に路上を走行した走行データに基づいてシャシーダイナモメータ上で耐久試験や性能試験を実行するが、その際、実路上では図１２（ａ）で示すようなモデルとなり、シャシーダイナモメータ上では（ｂ）図のすようなモデルとなる。○で囲んだ部分が両者の相違箇所であり、シャシーダイナモメータでは拘束装置の剛性が存在することにより拘束装置と車両剛性の特性を把握することが困難となっている。このため、
過渡的な挙動試験を正確に実施することができず、例えば、車両が振動する挙動を再現させる試験が正確に実行できなくなる問題を有している。
【０００６】
そこで本発明が目的とするとこは、拘束装置と車両剛性の特性を把握することを可能とした拘束装置と車両剛性の特性同定方法を提供することにある。
【課題を解決するための手段】
【０００７】
本発明請求項１は、ローラ上に載置した被試験車両を拘束装置で拘束し、駆動力信号と拘束装置の拘束力信号の検出可能なシャシーダイナモメータシステムであって、拘束装置と車両剛性の特性を把握するものにおいて、
前記被試験車両重量を設定し、複数回のアクセル操作時の駆動力信号と拘束装置
の拘束力信号をそれぞれ検出し、各検出信号をアクセル操作毎に分割して各回の
各検出信号を抽出し、抽出データから駆動力信号と拘束力信号に基づいて各回毎の伝達関数を演算すると共に、求めた伝達関数を同定して特性パラメータを導出し、各回毎の同定前の拘束力検出信号と各回毎の駆動力信号と同定した伝達関数から演算された拘束力検出信号との差分が評価値となったときの特性パラメータを拘束装置と車両剛性の特性パラメータとすることを特徴としたものである。
【０００８】
本発明請求項２は、前記伝達関数Ｇは、被試験車両重量をＭcar、ダンピングをＣc、バネ剛性をＫcとしたとき、次式により求めることを特徴としたものである。
Ｇ＝（Ｃc・s＋Ｋc）／（Ｍcar・s2＋Ｃc・s＋Ｋc）
ただし、ｓはラプラス演算子
本発明請求項３は、前記伝達関数Ｇは、s／（Ｍcar・s2＋Ｃc・s＋Ｋc）により求めることを特徴としたものである。
【０００９】
本発明請求項４は、前記駆動力信号は、被試験車両から直接検出して得られた駆動力信号であることを特徴としたものである。
【００１０】
本発明請求項５は、前記駆動力信号は駆動力演算部により求められた演算駆動力信号を用い、駆動力演算信号は、1次のローパスフィルタを１／Ｔd・ｓ＋１としてローパスフィルタの時定数Ｔdを設定し、ローラ慣性Ｊrollerに角加速度ｄt／dωを乗算してローパスフィルタを通し、この乗算値と軸トルク検出値との差演算の差分信号を演算駆動力とすることを特徴としたものである。
【００１１】
本発明請求項６は、前記駆動力演算信号は、前記電気慣性制御回路のコントローラ設計手法により設計されたオブザーバのローラ表面駆動力推定値であることを特徴としたものである。
【発明の効果】
【００１２】
以上のとおり、本発明によれば、駆動力信号と、拘束力信号から2次の伝達関数に近似させる構成とすることで、特性パラメータを算出し、これによって拘束装置と車両剛性の特性把握を可能としたものである。
【発明を実施するための最良の形態】
【００１３】
図１は、本発明の実施例で実行される拘束装置と車両剛性特性を同定するための運転手順である。この運転手順は、シャシーダイナモメータ上での試験に先立って演算装置（パソコン）にて拘束装置と車両剛性の特性パラメータを把握するもので、ステップＳ１で供試体である被試験車両に変更があった場合にはステップＳ３に進み、変更がない場合にはステップＳ２に進む。Ｓ２では被試験車両に変更がなくても、車両に搭載される積荷が満載か空かなどのように重量変更がある場合にはステップＳ３進み、車両重量Ｍcarが設定される。ステップＳ４では、設定された車両重量時におけるスロットル、若しくはアクセル開度全開（ＷＯＴ）時のデータを複数回（ここでは３〜５回）収集し、ステップＳ５で拘束装置と車両剛性の特性パラメータＣc、Ｋcを把握する。
【００１４】
図２は、パラメータ導出手段による拘束装置と車両剛性の特性パラメータ導出のためのフローチャートである。先ずＳ１０で、図１の手順によって求められた特性パラメータを含む各種収録データの読み込みが実行される。Ｓ１１では、Ｓ４で行った複数回のアクセル全開時毎の組みに分けられ、各回毎のアクセル全開時の駆動力信号、拘束力信号、アクセル開度信号、その時の軸トルク信号、回転数信号など評価に必要なデータの抽出をＳ１２で行う。この評価データは、Ｓ１３でローパスフィルタ処理が実行された後、Ｓ１４で（１）式を用いて伝達関数［Ｇ］の演算が行われる。
［Ｇ］＝（Ｃc・s＋Ｋc）／（Ｍcar・s2＋Ｃc・s＋Ｋc）……      （１）
求められた伝達関数［Ｇ］は、駆動力信号から拘束力信号の伝達関数であり、Ｓ１３でローパスフィルタ処理を実行後に伝達関数［Ｇ］を用いてＳ１５で同定し、Ｓ１６では同定パラメータを微調整した後、この微調整した特性パラメータＣc、Ｋcを用いて伝達関数［Ｇfit］を求める（Ｓ１７）。同定方法としては、最小二乗法、主成分分析法などがあるが、ここでは最小二乗法を用いて同定している。Ｓ１４〜Ｓ１７により、Ｓ１８では先に抽出した拘束力［Ｆout］と今回算出した伝達関数［Ｇfit］による拘束力［Ｆfit-out］との差分を誤差評価値としてシミュレーションを実行する。この過程をＳ１１で分割した数だけ繰返して誤差評価値を求め、確からしい評価となったときに駆動力から拘束力までの伝達関数の各パラメータが出力される。
【００１５】
したがって、第１の実施例によれば、拘束装置と車両剛性の特性を同定するために、車両重量Ｍcarを設定（ステップＳ３）し、車両側よりアクセル開度を操作（ステップＳ４）することにより、その時の駆動力検出と拘束力検出を使用して伝達関数［Ｇ］のパラメータＣc、Ｋcの算出を可能としたものである。これにより、拘束装置と車両剛性の特性を伝達関数［Ｇ］に近似させることが可能となり、拘束装置と車両剛性の特性を把握することができる。
【００１６】
図３は第２の実施例を示したもので、図１１で示すような拘束装置と車両剛性の特性を、拘束力Fbindと駆動力Ｆxから伝達関数［Ｇ］に近似させるための導出模式図を示したものである。ここで、各伝達関数に使用しているｓはラプラス演算子で、図３（ａ）は、図２のステップＳ１３で求めるアクセル全開時の回数毎に抽出した同定前の導出過程であり、ステップＳ１２で抽出された各回毎のアクセル操作時の評価データを元に駆動力Fx［Fin］と拘束力Fbind［Ｆout］が算出される。また、図３（ｂ）は各回毎のアクセル全開時の同定後の導出過程である。
【００１７】
拘束装置と車両剛性の共振周波数は、低周波数領域においては車体バネ上とバネ下は一体と看做せる。このため、車両の質量をＭcarとし、拘束されている車体特性を（２）式として、拘束力Fbindと駆動力Ｆxから２次の伝達関数に近似させる伝達関数［Ｇ］は（３）式となる。
【００１８】
【数１】
2010112900.tif 000003
【００１９】
【数２】
2010112900.tif 000004
【００２０】
この実施例によれば、駆動力Ｆx［Ｆin］と拘束力Fbind［Ｆout］から伝達関数［Ｇ］に近似させる構成とすることで各特性パラメータＣc、Ｋcの算出が可能となり、拘束装置と車両剛性の特性パラメータを把握することができる。
【００２１】
図４は第３の実施例を示したものである。シャシーダイナモメータシステムにおいては、駆動力Ｆxを得るために演算して求めることではなく、車両に六分力計などを取り付け直接駆動力Ｆxを検出している。したがって、この実施例は、駆動力Ｆxを直接検出できる場合の伝達関数［Ｇ］の導出時に使用するものである。この場合、図２で示す拘束装置と車両剛性の特性パラメータ導出部において評価するデータが、アクセル全開試験時毎のものとなり、各全開試験時に六分力計などにより検出された駆動力Ｆxから伝達関数［Ｇ］に近似させる構成とする。これにより、各特性パラメータＣc、Ｋcの算出が可能となり、拘束装置と車両剛性の特性を把握することができる。
【００２２】
図５は第４の実施例を示したものである。この実施例は、車両に六分力計などの計測機器の取り付けが不可能な場合で、駆動力Ｆx［Fin］を演算によって求める例である。駆動力の演算は図６で示す駆動力演算部によって実施される。ローパスフィルタを１／Ｔd・ｓ＋１としてローパスフィルタの時定数Ｔdを設定し、ローラ慣性Ｊrollerに角加速度ｄt／dωを乗算し、ローパスフィルタを通す。このローパスフィルタを通過した乗算値と軸トルク検出値との差演算を実行し、差分信号を演算駆動力Ｆｖ［Fin］とする。以下は、図４と同様である。
【００２３】
この実施例によれば、車両に六分力計などの計測機器がない場合でも、軸トルク検出と角速度検出により演算駆動力Ｆｖを求め、この演算駆動力Ｆｖと、拘束力Fbindから2次の伝達関数［Ｇ］に近似させる構成とすることで各特性パラメータＣc、Ｋcの算出が可能となり、拘束装置と車両剛性の特性を把握することができる。
【００２４】
図７は第５の実施例を示したものである。図３〜図５で示す伝達関数の同定については、図2のステップＳ１４で（１）式に基づいて実行されているが、この実施例での伝達関数［Ｇ］の演算は（４）式に基づいて実行される。
【００２５】
【数３】
2010112900.tif 000005
【００２６】
この（４）式は、拘束されている車体の特性を（２）式としていることにより、車両速度と駆動力から2次の伝達関数［Ｇ］に近似させる伝達関数［Ｇ］は（５）式となり、図７（ａ）（ｂ）のような構成で伝達関数を導出する。この場合の［Ｖout］と［Ｖfit-out］は車両速度検出Ｖcarとなる。
【００２７】
【数４】
2010112900.tif 000006
【００２８】
この実施例によれば、車両速度Ｖcarと駆動力Ｆxから2次の伝達関数に近似させる構成とすることにより、各特性パラメータＣc、Ｋcの算出が可能となり、拘束装置と車両剛性の特性を把握することができる。
【００２９】
図８は第６の実施例を示したものである。シャシーダイナモメータシステムの電気慣性制御回路にはオブザーバ部（ローラ表面駆動力推定部）が設けられている。このオブザーバ部をＨ∞制御、μ設計法と呼称されるコントローラ設計手法により慣性モーメントを設計し、慣性モーメントに基づいて電気慣性制御を実行することが行われている。この実施例は、コントローラ設計手法により設計されたオブザーバ部の出力を駆動力検出に用いるものである。
【００３０】
図９はμ設計法にて設計されたオブザーバの一般化プラントモデルで、
その外乱としてローラ表面駆動力ｗ１、動力計トルク指令ｗ２、軸トルク観測ノイズｗ３、及び動力計角速度観測ノイズｗ４が入力され、観測量Ａ，Ｂが検出されてコントローラ２０に入力される。外乱信号は、実際にシャシーダイナモメータシステムが駆動されていることを想定し、その時の制御ループに発生するノイズが外乱信号となり、ここではｗ１〜ｗ４の４つになっている。コントローラ２０では、オブザーバの状態方程式のパラメータを設定し、ゲインが小さくなるようアルゴリズムに基づいてパラメータを決定する。また、一般化プラントモデルでは、制御量としてｚ１〜ｚ４が生成される。
【００３１】
入力された外乱には、それぞれは重み係数付加手段１（Ow1(s)）〜４（Ow4(s)）、及び１１（Oz1(s)）〜１４（Oz4(s)）において各別に重み付けされ、求める特性が得られるようになっている。すなわち、手段１１では、車両駆動力にかける重みで、ある定数がかけられてローラの回転モーメントトルクJ1.Tとし機械系モデル３０（Omec(s)）に出力されると共に、減算手段１７に出力される。手段１２では、動力計のトルク指令にかける重みで、ある定数がかけられてその出力はJ2.Tとして機械系モデル３０に出力される。手段１３では、軸トルクの検出誤差にかける重みで、ある定数、または、高域でゲインが高くなるような特性にされ、加算手段１５に出力される。手段１４では、動力計角速度検出誤差にかける重みで、ある定数、または、高域でゲインが高くなるような特性にされて、加算手段１６に出力される。
【００３２】
１８（Otm(s)）は軸トルクを検出するトルクメータ特性生成手段（トルクメータ特性モデル）で、機械モデル３０からの結合シャフトの軸トルクK12.Tを入力して所定のトルクメータ特性として加算手段５に出力する。加算手段１５では、重み付けされた軸トルクの検出誤差信号とトルクメータ特性を加算して軸トルク検出値を生成して観測量Ａとしてコントローラ２０に入力される。１９（Oenc(s)）はエンコーダ特性生成手段（エンコーダ特性モデル）で、機械モデル３０からの動力計角速度Ｊ2.wを入力して所定のエンコーダ特性を生成し、加算部１６に出力する。加算部１６では、重み付けされた動力計角速度検出誤差信号とエンコーダ特性を加算して動力計角速度検出値を生成し、観測量Ｂとしてコントローラ２０に出力する。コントローラ２０では入力された信号に基づいて所定の演算を実行する。その演算信号は減算手段７に出力してローラの回転モーメントトルクJ1.Tとの減算が行われ、手段２１に出力される。
【００３３】
手段２１（Oz1(s)）は、ローラ表面駆動力推定の偏差値に重み付けをする手段で、積分特性、または、高域でゲインが低くなるような所定の特性にして重みつきローラ表面駆動力推定値ｚ１とし出力する。手段２２（Oz2(s)）は、軸トルクに重みをかける手段で、機械系モデル３０からの軸トルクK12.Tを入力してある定数、または、高域でゲインが高くなるような所定の特性にして軸トルク制御指令ｚ２とし出力する。手段２３（Oz3(s)）は、機械系モデル３０からの動力計角速度J2.wに重みをかける手段で、ある定数、または、高域でゲインが高くなるような所定の特性にして重み付けされた動力計角速度指令ｚ3とし出力する。手段２４（Oz4(s)）は機械系モデル３０からのローラ角速度検出に重みをかける手段で、ある定数、または、高域でゲインが高くなる特性として重みつきローラ角速度指令ｚ４として出力する。
【００３４】
図１０はオブザーバの説明図で、（ａ）は駆動力オブザーバのブロック図、（ｂ）はオブザーバの機械系モデルを示したものである。オブザーバの機械系モデル３０は、動力計の機械特性を伝達関数で表現したもので、２慣性機械系のモデルである。この実施例の機械系モデルは、J1.TとJ2.Tを入力として持ち、J1.w、K12.T、及びJ2.wを出力として持つ。同図において、３１はローラ慣性モーメント要素で、その出力はローラ角速度J1.wとして一般化プラントへ出力すると共に、減算手段３６に出力する。３２はバネ剛性要素で、減算手段３６により演算された動力計角速度とローラ角速度の差信号が入力されてシャフト捩れトルクK12.T信号として一般化プラントへ出力すると共に、加算手段３４と減算手段３５に出力する。加算手段３４では、ローラ表面にかかる車両駆動力によるローラの回転モーメントJ1.Tとシャフト捩れトルクK12.Tが加算されてローラ慣性モーメント要素３１に入力される。また、減算手段３５では、入力された動力計トルク信号J2.Tとシャフト捩れトルクK12.Tの差信号が求められて動力計慣性モーメント要素３３に出力され、この動力計慣性モーメント要素２３において動力計角速度J2.wを演算して一般化プラントへ出力すると共に、減算手段３６に出力される。
【００３５】
上述のように設計されたオブザーバでは、図１０（ａ）で示すように動力計の角速度検出と軸トルク検出が入力されており、その出力としてローラ表面駆動力推定値が出力される。図８で示す拘束装置と車両剛性の特性パラメータ導出に用いられるオブザーバ出力Ｆobsは、この出力のローラ表面駆動力推定値が使用されて伝達関数演算部に入力される。なお、この場合の伝達関数の演算は（１）式が用いられる。
【００３６】
したがって、この実施例によれば、車両に駆動力検出を行う測定機器がなく、駆動力検出の採取が困難なシステムにおいて、μ設計法にて設計したオブザーバ部の出力Ｆobsと拘束力Ｆbindから2次の伝達関数に近似させることにより、各特性パラメータＣc、Ｋcの算出が可能となり、拘束装置と車両剛性の特性を把握することができる。
【図面の簡単な説明】
【００３７】
【図１】本発明の実施形態を示す拘束装置と車両剛性の特性を同定するためのフローチャート。
【図２】拘束装置と車両剛性の特性パラメータ導出のフローチャート。
【図３】2次の伝達関数に近似させるための伝達関数導出図で、（ａ）は同定前の伝達関数導出図、（ｂ）は同定後の伝達関数導出図。
【図４】他の実施例による2次の伝達関数に近似させるための伝達関数導出図で、（ａ）は同定前の伝達関数導出図、（ｂ）は同定後の伝達関数導出図。
【図５】演算駆動力を用いて2次の伝達関数に近似させるための伝達関数導出図で、（ａ）は同定前の伝達関数導出図、（ｂ）は同定後の伝達関数導出図。
【図６】駆動力演算部の構成図
【図７】他の実施例による2次の伝達関数に近似させるための伝達関数導出図で、（ａ）は同定前の伝達関数導出図、（ｂ）は同定後の伝達関数導出図。
【図８】オブザーバ出力を用いて2次の伝達関数に近似させるための伝達関数導出図で、（ａ）は同定前の伝達関数導出図、（ｂ）は同定後の伝達関数導出図。
【図９】オブザーバ一般化モデル図。
【図１０】オブザーバの説明図で、（ａ）は駆動力オブザーバのブロック図、（ｂ）はオブザーバ機械系モデル図。
【図１１】シャシーダイナモメータシステムの構成図。
【図１２】エンジンを起振原としたときの振動波形の伝達モデルで、（ａ）は実路上、（ｂ）はシャシーダイナモメータ上。
【図１３】シャシーダイナモメータシステムによる走行モデル図。
【図１４】シャシーダイナモメータシステムの制御系概略構成図。
【符号の説明】
【００３８】
１…  駆動系モデル
２…  シャシーダイナモメータモデル
３…  タイヤモデル
４…  車速演算部
５…  拘束力演算部
Ｄｙ…  動力計
Ｒ…  ローラ
ＩＶ…  インバータ
ＥＩ…  電気慣性回路
ＭＵ…  計測制御ユニット
【図１】
2010112900.tif 000007
【図２】
2010112900.tif 000008
【図３】
2010112900.tif 000009
【図４】
2010112900.tif 000010
【図５】
2010112900.tif 000011
【図６】
2010112900.tif 000012
【図７】
2010112900.tif 000013
【図８】
2010112900.tif 000014
【図９】
2010112900.tif 000015
【図１０】
2010112900.tif 000016
【図１１】
2010112900.tif 000017
【図１２】
2010112900.tif 000018
【図１３】
2010112900.tif 000019
【図１４】
2010112900.tif 000020